(57)【特許請求の範囲】
【請求項１】
サン・ギアと１つまたは複数のプラネタリ・ギア、およびリング・ギアを含む遊星ギアボックスを備える医薬品送達装置において使用される駆動機構において、
らせん線条を有するハウジングと、
非円形断面および外部らせん線条を有するピストン・ロッドと、
前記ハウジングとねじ込み式に係合し、このハウジングに関して回転可能である投与量ダイヤル・スリーブと、
前記ハウジングと上記ピストン・ロッドとの間に配置され、このピストン・ロッドとねじ込み式に係合する駆動スリーブとを備え、
前記投与量ダイヤル・スリーブが遊星ギアボックスによって前記駆動スリーブに取外し式に接続されているものであって、
前記リング・ギアが先記投与量ダイヤル・スリーブの一端に配置され、前記サン・ギアが前記駆動スリーブ内に配置され、また、前記プラネタリ・ギアが前記駆動スリーブにより担持され、
駆動スリーブ上に備えられたばねフィーチャの外歯と投与量ダイヤル・スリーブ上のスプラインとの間に形成されるクラッチが駆動スリーブと投与量ダイヤル・スリーブとの間において動作し、
前記クラッチが係合されることにより前記投与量ダイヤル・スリーブと前記駆動スリーブが結合されるとき、前記スプラインにより係合する前記外歯により、前記駆動スリーブが回転する前記投与量ダイヤル・スリーブとロックされ、
前記クラッチが脱係合されることにより前記投与量ダイヤル・スリーブと前記駆動スリーブが脱結合されるとき、前記駆動スリーブが投与量ダイヤル・スリーブに対して回転できる駆動機構。
【請求項２】
駆動スリーブがばねフィーチャの外歯が投与量ダイヤル・スリーブのスプラインと係合するとき、回転する投与量ダイヤル・スリーブにロックされる、請求項１に記載の駆動機構。
【請求項３】
スナップばめフィーチャが縦方向変位に対して駆動スリーブと投与量ダイヤル・スリーブを保持し、前記駆動スリーブと前記投与量ダイヤル・スリーブとの間の相対的な回転が
依然として可能である、請求項２に記載の駆動機構。
【請求項４】
請求項１〜３のいずれかに記載の駆動機構を備える医薬品送達装置において使用されるアセンブリ。
【請求項５】
請求項１〜４のいずれかに記載の駆動機構またはアセンブリを備える医薬品送達装置。
【請求項６】
請求項１〜４のいずれかに記載の駆動機構またはアセンブリを提供する段階を含む、医薬品送達装置を組み立てる方法。
【請求項７】
インシュリン、成長ホルモン、低分子量ヘパリン、その類似物、およびその誘導体からなるグループから選択される活性化合物を包含する医薬品をディスペンスするための、請求項５において定義される医薬品送達装置。
【発明の詳細な説明】
【技術分野】
【０００１】
本発明は、投与量設定手段を有し、複数投与量カートリッジから医薬品を投与することを可能にする、医薬品送達装置において使用されるのに適切な駆動機構、具体的にはペン型注射器に関する。具体的には、本発明は、使用者が投与量を設定することが可能であるような医薬品送達装置に関する。
【背景技術】
【０００２】
そのような医薬品送達装置は、正式な医療訓練のない個人、すなわち患者による規則的な注入が行われる応用分野を有する。これは、糖尿病の人々の間ではますます一般的になってきており、自己処置により、そのような個人が、自分の糖尿病の有効な管理を実施することが可能になる。
【０００３】
これらの状況は、この種類の医薬品送達装置についていくつかの要件を設定する。装置は、構造は頑強であるが、部分の操作、動作の使用者による理解、および薬剤の必要な投与量の送達の観点において、使用が容易でなければならない。投与量の設定は、容易で明確でなければならない。糖尿病の人々の場合、多くの使用者は身体的に虚弱であり、視力が損なわれている可能性もあり、駆動機構が小さいディスペンス力を有し、かつ投与量設定表示を読み取ることが容易であることを必要とする。装置が再使用可能ではなく、使い捨て可能である場合、装置は、製造が安価で廃棄が容易であるべきである（リサイクルに適切であることが好ましい）。これらの要件を満たすために、装置を組み立てるのに必要な部品の数、および装置が作成される材料のタイプの数は、最小限に維持されることが必要である。
【０００４】
使用者操作医薬品送達装置が、医療の分野では周知である。ＷＯ０１／９５９５９は、カートリッジから医薬の設定投与量を注入する注入装置を開示する。開示された装置は、ピストン・ロッドとねじ込み式に結合されるナットと、注入ボタンとの間に配置されるギア・ホイール・ギアボックスを備える。ギアボックスは、投与量設定ドラムの第２ピッチとピストン・ロッドの第１ピッチとの比に等しいギア率を提供する。
【特許文献１】ＷＯ０１／９５９５９
【発明の開示】
【発明が解決しようとする課題】
【０００５】
驚くべきことに、本発明による駆動機構は、作動と送達（それぞれ、高い値）との間における広範な低減率を見込む、コンパクトな駆動機構の設計について価値ある技術上の代替物を提供し、安全な投与量ダイヤリングおよびディスペンスの利点をさらに提供することが判明した。さらに、構成要素が比較的少数であることにより、製造および組立ての労力が低減される。さらに、本発明による駆動機構は、薬剤を損失せずに、設定投与量の訂正を直感的かつ容易に使用することを可能にする利点を有する。
【課題を解決するための手段】
【０００６】
本発明の第１態様によれば、遊星ギアボックスを備える、医薬品送達装置において使用される駆動機構が提供され、好ましくは、医薬品送達装置において使用される駆動機構は、
らせん線条を有するハウジングと、
前記ハウジングとねじ込み式に係合し、かつ前記ハウジングに関して回転可能である投与量ダイヤル・スリーブと、
非円形断面および外部らせん線条を有するピストン・ロッドと、
前記ハウジングと前記ピストン・ロッドとの間に配置され、前記ピストン・ロッドとねじ込み式に係合する駆動スリーブとを備え、
遊星ギアボックスをさらに備え、具体的には、前記投与量ダイヤル・スリーブを前記駆動スリーブに取外し式に接続する遊星ギアボックスをさらに備えることを特徴とする。
【０００７】
本発明による「医薬品送達装置」という用語は、たとえば、インシュリン、成長ホルモン、低分子量ヘパリン、ならびにそれらの類似物および／または誘導体など、好ましくは複数選択投与量である医療産物の選択投与量をディスペンスするように設計された単回投与量または多重投与量の廃棄可能または再使用可能な装置を意味する。前記装置は、コンパクトまたはペン型など、任意の形状とすることが可能である。投与量送達は、機械（随意選択で手動）装置または電気駆動機構、あるいはばねなどの蓄積エネルギー駆動機構により提供されることが可能である。投与量の選択は、手動機構または電子機構により提供されることが可能である。さらに、前記装置は、血液のグルコース・レベルなど、生理学的特性を監視するように設計された構成要素を含むことが可能である。さらに、前記装置は、針を備えることが可能であり、または針のないことも可能である。具体的には、「医薬品送達装置」という用語は、機械および手動の投与量送達および投与量選択機構を有する使い捨て可能複数投与量ペン型装置を意味する。これは、患者など、正式な医療訓練を受けていない個人による規則的な使用のために設計される。医薬品送達装置は、注射器型であることが好ましい。
【０００８】
本発明による「ハウジング」という用語は、好ましくは、任意の外部ハウジング（「主要ハウジング」、「本体」、「シェル」）または内部ハウジング（「インサート」、「内部本体」）を意味する。ハウジングは、医薬品送達装置またはその機構のいずれかの安全、正確、かつ快適な取扱いを可能にするように設計されることが可能である。通常、液体、埃、汚れなどの汚染物質への暴露を限定することによって、医薬品送達装置の内部構成要素のいずれか（たとえば、駆動機構、カートリッジ、プランジャ、ピストン・ロッド）を収容、固定、保護、誘導し、および／またはそれと係合するように設計される。一般に、ハウジングは、環状または非環状の形状の一体式または複数部分の構成要素とすることが可能である。通常、外部ハウジングは、医薬品のいくつかの投与量が送達されることが可能である元のカートリッジを収容するように作用する。
【０００９】
本発明による「係合している」という用語は、具体的には、スプラインまたは線条接続など、駆動機構／医薬品送達装置の２つ以上の構成要素のインターロック、好ましくは構成要素のらせん線条のインターロック（「ねじ込み係合」）を意味する。
【００１０】
本発明による「らせん線条」という用語は、好ましくは、円筒らせんリブ／溝などの完全線条または部分線条を意味し、医薬品送達装置の構成要素の内表面および／または外表面上に位置し、構成要素間の連続的な自由回転および／または軸方向運動を可能にするように設計された本質的に３角形または正方形または円形のセクションを有する。場合によっては、前記線条が、一方向においてある構成要素の回転運動または軸方向運動を防止するようにさらに設計されることが可能である。
【００１１】
本発明による「投与量ダイヤル・スリーブ」という用語は、好ましくはより小さい直径の第１部分およびより大きい直径の第２部分を備える本質的に円形断面の本質的に管状の構成要素を意味し、第１部分および第２部分は、投与量ダイヤル・スリーブの径方向に延びる環状領域によって接続されることが好ましい。好ましい実施形態では、投与量ダイヤル・スリーブの第２部分の直径は、ハウジングの直径と同じである。他の好ましい実施形態では、投与量ダイヤル・スリーブは、ディスペンス可能産物の選択投与量を示すように設計される。これは、たとえば投与量ダイヤル・スリーブまたはオドメータなどの外表面上に印刷された、マーキング、記号、数値などを使用して達成することが可能である。よ
り特定の実施形態では、投与量ダイヤル・スリーブの第２部分の内表面は、遊星ギアボックスと係合するように設計された縦方向に延びるギア歯の形態にあるスプラインを備える。他の実施形態では、投与量ダイヤル・スリーブの第２部分の外表面は、投与量のダイヤリングを補助するようにフィンガ・グリップとして作用するテキスチャ表面を備える。
【００１２】
本発明による「駆動スリーブ」という用語は、本質的に円形の断面であり、ピストン・ロッドと係合する、任意の本質的に管状の構成要素を意味する。本発明の駆動スリーブは、ジャーナルにおいて遊星ギア・ボックスのプラネタリ・ギアを担持することが好ましい。好ましい実施形態では、駆動スリーブは、インサートの円筒部分とピストン・ロッドとの間に位置するより小さい直径の第１部分、および投与量ダイヤル・スリーブの内向きフランジを越えて延びるより大きい直径の第２部分を備える。他の好ましい実施形態では、駆動スリーブの径方向に延びる環状領域が、駆動スリーブの第１部分と第２部分とを接続する。
【００１３】
本発明による「ピストン・ロッド」という用語は、ハウジングを通って／ハウジング内において動作するように適合された構成要素を意味し、注入可能医薬品を放出／ディスペンスするために、好ましくは駆動スリーブからピストンまで、医薬品送達装置を通って／医薬品送達装置の内部において軸方向に並進運動するように設計される。前記ピストン・ロッドは、柔軟である、または柔軟でないことが可能である。これは、簡単なロッド、リードねじ、ラック・アンド・ピニオン・システム、ウォーム・ギア・システムなどを備えることが可能である。本発明のピストン・ロッドは、当業者に既知の任意の適切な材料で作成されることが可能である。
【００１４】
本発明による「取外し式に接続される」という用語は、好ましくは、たとえばクラッチによる結合および脱結合を可能にする、本機構または装置の２つの構成要素が互いに取外し式に接合されることを意味する。
【００１５】
本発明による「遊星ギアボックス」という用語は、中央サン・ギア（「サン・ギア」）、１つまたは複数のプラネタリ・ギア、およびリング・ギアからなる、ギアのシステムを意味する。一般に、そのような遊星ギアボックスでは、プラネタリ・ギアは、軸が固定されているサン・ギアの回りを進行する。さらに、そのような遊星ギアボックスのリング・ギアの軸は、サン・ギアの固定軸と同一である。本発明による「リング・ギア」は、スプラインなどの円形構成を場合によっては包含することが可能である。本発明による遊星ギアボックスは、投与量ダイヤル・スリーブまたは投与量ボタンから駆動スリーブまたはピストン・ロッドにトルクを伝達するように作用することが好ましい。本発明の１つの特定の実施形態では、遊星ギアボックスは、投与量ダイヤル・スリーブを駆動スリーブに取外し式に接続し、それにより、リング・ギアは、投与量ダイヤル・スリーブの第２端部に随意選択で配置される。場合によっては、遊星ギアボックスは、リング・ギアと、場合によっては駆動スリーブである遊星ギアを担持する構成要素との間の径方向速度の低減率を与えるように設計される。本発明の他の特定の実施形態では、サン・ギアは、投与量ボタンと駆動スリーブとの間に配置される。
【００１６】
本発明による「第１端部」という用語は、近位端部を意味する。装置または装置の構成要素の近位端部は、装置のディスペンス端部に最も近い端部を意味する。
【００１７】
本発明による「第２端部」という用語は、遠位端部を意味する。装置または装置の構成要素の遠位端部は、装置のディスペンス端部から最も遠い端部を意味する。
【００１８】
本発明の第２態様が、本発明による駆動機構を備える医薬品送達装置において使用されるアセンブリーを提供する。
【００１９】
本発明の第３態様が、本発明による駆動機構またはアセンブリーを備える医薬品送達装置を提供する。
【００２０】
本発明の第４態様が、本発明による駆動機構またはアセンブリーを提供するステップを含む医薬品送達装置を組み立てる方法を提供する。
【００２１】
本発明の第５態様が、医薬品産物をディスペンスするための、好ましくはインシュリン、成長ホルモン、低分子量ヘパリン、それらの類似物、およびそれらの誘導体からなるグループから選択される活性化合物を備える医薬処方物（pharmaceutical  formulation）（たとえば、溶液、懸濁液など）をディスペンスするための、本発明による医薬品送達装置の使用法である。
【００２２】
限定としてではなく、本発明は、好ましい実施形態に関して、図面を参照して、以下においてより詳細に記述される。
【発明を実施するための最良の形態】
【００２３】
まず図１および図２を参照すると、本発明による医薬品送達装置を見ることが可能である。装置は、医薬品を包含するカートリッジ４、排出される医薬品の投与量を選択または設定する手段、および医薬品の選択投与量を排出する手段が内部に配置されるハウジング２を備える。ハウジング２は、ほぼ円筒の形状であり、以下においてより詳細に記述されるウエブ６によって２つの区画にほぼ分割される。カートリッジ４は、ハウジング２の第１部分の内部に配置され、一方、投与量設定手段および医薬品選択投与量排出手段は、ハウジング２の第２部分内に配置される。
【００２４】
カートリッジ４は、任意の適切な手段によってハウジング２の第１部分の適所に固定されることが可能である。針ユニット（図示せず）が、ハウジング２の第１端部に固定されることが可能である。カートリッジ４は、変位可能ピストン１０をさらに備える。ピストン１０をカートリッジ４の第１端部に向けて前進させることにより、医薬品は、カートリッジ４から針ユニットを経て排出される。キャップが、注射器が使用されていない場合、針ユニットを覆うために備えうる。
【００２５】
ハウジング２を分割するインサート６は、開口８を画定するように、円筒ハウジングから径方向内向きに延びるウエブを備える。縦方向に延びるスカート１２が、ウエブの外周から延びる。使用時、スカート１２は、任意の適切な手段によってハウジング２に適所において固定される。ほぼ円筒の部分１４が、ウエブから装置の第２端部に向かって延びる。ピストン・ロッド２０が、インサート６の開口８を通って延びる。
【００２６】
ピストン・ロッド２０は、ピストン１０の第２面、および装置の第２端部向かって縦方向に延びるシャフトまたはほぼ円筒の部分２４を駆動するように適合されて使用される端部面２２を備える。
【００２７】
ほぼ円筒の投与量ダイヤル・スリーブ３０が、インサート６のほぼ円筒の部分とハウジング２との間に位置するより小さい直径の第１部分３２、およびハウジング２を超えて延びるより大きい直径の第２部分３４を備える。示される実施形態のように、第２部分３４は、装置が使用されていないとき、滑らかな印象全体が生成されるように、ハウジング２と直径が等しいことが好ましい。投与量ダイヤル・スリーブ３０の第１部分３２および第２部分３４は、投与量ダイヤル・スリーブ３０の径方向に延びる環状領域３６によって接続される。
【００２８】
投与量ダイヤル・スリーブ３０の第１部分３２の内表面が、内向きフランジ３８を備える。ねじ込み接続４０が、投与量ダイヤル・スリーブ３０とインサート６との間において提供される。示される実施形態では、らせんリブ４２が、投与量ダイヤル・スリーブ３０の第１端部と内向きフランジ３８との間において、投与量ダイヤル・スリーブ３０の第１部分３２の内面上に提供される。この実施形態では、らせんリブ４２は、インサート６の外表面上に提供される整合溝４４の内部にある。
【００２９】
投与量ダイヤル・スリーブ３０の第２部分３４の内表面が、縦方向に延びるギア歯の形態にあるスプライン４６を備える。投与量ダイヤル・スリーブ３０の第２部分３４の外表面は、フィンガ・グリップとして作用するようにテキスチャ表面を備えることが好ましい。
【００３０】
ほぼ円筒の駆動スリーブ５０が、投与量ダイヤル・スリーブ３０の内部に配置される。駆動スリーブ５０は、インサート６のほぼ円筒の部分１４とピストン・ロッド２０との間に一般に位置するより小さい直径の第１部分５２、および投与量ダイヤル・スリーブ３０の内向きフランジ３８を超えて延びるより大きい直径の第２部分５４を備える。駆動スリーブ５０の第１部分５２および第２部分５４は、駆動スリーブ５０の径方向に延びる環状領域５６によって接続される。
【００３１】
駆動スリーブ５０および投与量ダイヤル・スリーブ３０は、相対的に縦方向に変位しないように、駆動スリーブ５０の第１部分５２上のスナップばめフィーチャ５８によって保持され、スナップばめフィーチャ５８は、スナップばめフィーチャ５８と駆動スリーブ５０の環状領域５６との間に投与量ダイヤル・スリーブ３０の内向きフランジ３８を配置する。投与量ダイヤル・スリーブ３０と駆動スリーブ５０との間の相対回転が依然として可能であることが理解されるであろう。
【００３２】
ねじ込み接続６０が、駆動スリーブ５０とピストン・ロッド２０との間において提供される。示される実施形態では、らせんリブ６２が、駆動スリーブ５０の第１部分５２の内面上に提供される。この実施形態では、らせんリブ６２は、ピストン・ロッド２０のシャフト２４の外表面に沿って延びる溝６４の内部にある。
【００３３】
ほぼ円筒のサン・ギア７０が、駆動スリーブ５０の第２部分５４の内部に配置される。サン・ギア７０の内径は、ピストン・ロッド２０のシャフト２４がそれを通過するのを可能にするのに十分である。サン・ギア７０の外表面は、径方向に延びるフランジ７２によって２つの部分に分割される。スプライン７４が、サン・ギア７０の第１端部から径方向フランジ７２まで延びる。第２径方向フランジ７６が、サン・ギア７０の第２端部に配置される。第２径方向フランジ７６は、第２表面上において周上に延びる複数の歯７８を備える。
【００３４】
駆動スリーブ５０の第２部分５４は、投与量ダイヤル・スリーブ３０の第１部分３２の内部において、かつ投与量ダイヤル・スリーブ３０の第２部分３４の中に延びる。ばね手段８０が、駆動スリーブ５０の環状領域５６とサン・ギア７０の第１端部との間に配置される。投与量ダイヤル・スリーブ３０の第２部分３４内に延びる駆動スリーブ５０の部分は、プラネタリ・ギア８２を担持する。プラネタリ・ギア８２は、駆動スリーブ５０と一体的にジャーナル上において回転するように取り付けられる。駆動スリーブ５０の第２端部は、ばねフィーチャ６６をも備え、ばねフィーチャ６６の自由端部が、外向き歯６８を有する。
【００３５】
駆動スリーブ５０上の成型されたクラッチ・フィーチャが、駆動スリーブ５０と投与量ダイヤル・スリーブ３０との間において動作する。クラッチは、ばねフィーチャ６６の外
歯６８と投与量ダイヤル・スリーブ３４のスプライン４６との間に形成される。装置が使用されていないとき、または投与量がダイヤルされているとき、径方向に延びるフランジ７２は、スプライン４６と係合するように適所に歯６８を保持し、それにより、駆動スリーブ５０が投与量ダイヤル・スリーブ３０に対して回転しないようにロックする。ディスペンス中、フランジ７２の軸方向変位が、クラッチを脱係合し、それにより、駆動スリーブ５０は、投与量ダイヤル・スリーブ３０に関して回転することが可能になる。
【００３６】
プラネタリ・ギア８２は、縦方向に延びるギア歯を外表面上において備える。
【００３７】
ほぼ円筒の投与量ボタン９０が、シャフト９２、およびシャフト９２の第２端部における第１の径方向に延びるフランジ９４を有する。投与量ボタン９０のシャフト９２は、ピストン・ロッド２０に関して縦方向に変位するが、回転しないように、ピストン・ロッド２０のシャフト２４内に配置される。これは、好都合には、ピストン・ロッド２０まで投与量ボタン９０をスプライン化することによって達成されることが可能である。ねじ込み部分９８が、シャフト９２の少なくとも一部に沿って提供され、第２径方向フランジ９６が、ねじ込み部分９８と第１フランジ９４との間に配置される。
【００３８】
第１投与量ボタン・フランジ９４の第１面および第２サン・ギア・フランジ７６の第２面が、投与量ボタン９０およびサン・ギア７０が共に対合されるとき、投与量ボタン９０およびサン・ギア７０を相対回転しないように固定するフィーチャを備える。
【００３９】
ナット１００が、投与量ダイヤル・ボタン９０とサン・ギア７０との間において、ねじ込み部分９８の上に備えられる。ナット１００は、スプラインによってサン・ギア７０に結合される。装置の動作がここで記述される。送達される望ましい投与量を設定するために、使用者が、投与量ダイヤル・スリーブ３０の第２部分３４を回転させる。初期位置において（図２または図４）、投与量ダイヤル・スリーブ３０、駆動スリーブ５０、およびサン・ギア７０は、スプライン・フィーチャ６６によって共に結合され、投与量ダイヤル・スリーブ３０がターンされる際に共に回転する。クラッチ手段が係合しているので、駆動スリーブ５０および投与量ダイヤル・スリーブ３０は、共に結合され、プラネタリ・ギア８２は回転することができない。これにより、サン・ギア７０は、投与量ダイヤル・スリーブ３０および駆動スリーブ５０に結合される。サン・ギア７０の上のショルダが、駆動スリーブ・クラッチ手段を投与量ダイヤル・スリーブ３０にロックする。ばね手段８０は、駆動スリーブ５０の外向き歯６８が投与量ダイヤル・スリーブ３０のスプライン４６に対して回転しないようにロックされる位置にサン・ギア７０を押し込む。
【００４０】
投与量ボタン９０とサン・ギア７０との間の相対回転運動により、ナット１００は、投与量ボタン・シャフト９２のねじ込み部分９８に沿って前進する。ナット１００がねじ込み部分９２の端部に到達するとき（図５のように）、使用者は、投与量ボタン９０を回転させることを阻止される、すなわちあらゆる他の投与量をダイヤルすることを阻止される。
【００４１】
インサート６と投与量ダイヤル・スリーブ３０との間のねじ込み接続４０は、ピストン・ロッド２０と駆動スリーブ３０との間のねじ込み接続６０と同じリードを有する。これは、投与量ダイヤル・スリーブ３０が回転されるとき、ピストン・ロッド２０が、カートリッジ・ピストン１０の第２面と依然として接触していることを意味する。
【００４２】
選択投与量をディスペンスするために、使用者が、投与量ボタン９０を押す（図３または図５）。投与量ボタン９０を装置の第１端部に向かって変位させることにより、サン・ギア７０が投与量ボタン９０に対して回転するのをロックするように、投与量ボタン９０はサン・ギア７０に結合される。サン・ギア７０の縦方向運動により、ばね手段８０は圧
縮される。駆動スリーブ５０と投与量ダイヤル・スリーブ３０との間においてクラッチ手段をロックするサン・ギア７０上のショルダは、脱係合され、それにより、駆動スリーブ５０は、投与量ダイヤル・スリーブ３０に関して回転することが可能になる。次いで、プラネタリ・ギア８２は、サン・ギア７０と投与量ダイヤル・スリーブ３０との間の歯数比を創り出す。
【００４３】
投与量ボタン９０をさらに押すことにより、軸方向負荷がサン・ギア７０に加えられる。この軸方向負荷の下で、投与量ダイヤル・スリーブ３０は、第１端部に向かってインサート６の線条に逆らって回転する。サン・ギア７０は、周上歯７８によって投与量ボタンにロックされ、それにより、駆動スリーブ５０は、遊星ギアボックスの行為によって、投与量ダイヤル・スリーブ３０とは異なる角速度において回転する。駆動スリーブ５０の回転により、ピストン・ロッド２０は、駆動スリーブ５０とピストン・ロッド２０との間のねじ込み係合によって、第１端部に向かって前進する。
【図面の簡単な説明】
【００４４】
【図１】本発明による医薬品送達装置の構成要素の分解図である。
【図２】第１未使用位置における、本発明による医薬品送達装置の断面側面図である。
【図３】第１投与量が選択され、ディスペンス行為が開始されたばかりのときの第２位置における、図１の医薬品送達装置の断面側面図である。
【図４】第１選択投与量のディスペンスに続く第３位置における、図１の医薬品送達装置の断面側面図である。
【図５】ディスペンス行為が開始されたばかりのときの最大最終投与量の設定に対応する第４位置における、図１の医薬品送達装置の断面側面図である。
【図６】最終投与量がディスペンスされたときのライフ位置の最終端部における、図１の医薬品送達装置の断面側面図である。
【図１】
0004847858.tif 000002
【図２】
0004847858.tif 000003
【図３】
0004847858.tif 000004
【図４】
0004847858.tif 000005
【図５】
0004847858.tif 000006
【図６】
0004847858.tif 000007